(57)【要約】【課題】間伐材や高級家具等の端材を有効に利用し、また組立が容易な組立式机および組立式椅子を提供する。【解決手段】天板２と、左右側枠３，４と、正面枠５とを有し、左右側枠３，４は、天板２の奥行きの寸法と略同じ長さの複数の側枠材１１，１２，１３と、複数の側枠材１１，１２，１３の前方を所定の間隙を空けて略等間隔で保持するスペーサ１４とを備え、正面枠５は、天板２の幅と略同じ長さの複数の正面材１８，１９からなり、左右側枠３，４の複数の側枠材の前方とスペーサ１４とは第１の縦ボルトにより縦方向に貫通して締め付けられ、左右側枠３，４の複数の側枠材の後端と複数の正面材１８，１９のそれぞれの端部とは交互に交差するように組み合わされて第２の縦ボルトにより縦方向に貫通して締め付けられ、天板２は、側枠材１１，１２，１３の間隙の間に天板２の両側部が嵌め込まれて固定されることにより取り付けられている組立式机。【選択図】図１
0003130471.tif 000002
【実用新案登録請求の範囲】
【請求項１】
天板と、両側枠と、正面枠とを有し、
前記両側枠は、前記天板の奥行きの寸法と略同じ長さの複数の側枠材と、前記複数の側枠材の前方を所定の間隙を空けて略等間隔で保持するスペーサとを備え、
前記正面枠は、前記天板の幅と略同じ長さの複数の正面材からなり、
前記両側枠の複数の側枠材の前方と前記スペーサとは第１の縦ボルトにより縦方向に貫通して締め付けられ、
前記両側枠の複数の側枠材の後端と前記複数の正面材のそれぞれの端部とは交互に交差するように組み合わされるとともに、その全体の交差部は第２の縦ボルトにより縦方向に貫通して締め付けられ、
前記天板は、前記両側枠の側枠材の間隙の間に天板の両側部が嵌め込まれ固定部材により前記天板の側部と側枠材とが固定されることにより取り付けられている
ことを特徴とする組立式机。
【請求項２】
前記天板の後方端部には、前記正面枠の複数の正面材の間隙に嵌り込む補助板が設けられている請求項１記載の組立式机。
【請求項３】
前記天板は、前記両側枠および正面枠の高さよりも低い位置において前記側枠材に取り付けられている請求項１または２に記載の組立式机。
【請求項４】
座板と、両側枠と、背面枠とを有し、
前記両側枠は、前記座板の奥行きの寸法と略同じ長さの複数の側枠材と、前記複数の側枠材の前方を所定の間隙を空けて略等間隔で保持するスペーサとを備え、
前記背面枠は、前記座板の幅と略同じ長さの複数の背面材からなり、
前記両側枠の複数の側枠材の前方と前記スペーサとは第３の縦ボルトにより縦方向に貫通して締め付けられ、
前記両側枠の複数の側枠材の後端と前記複数の背面材のそれぞれの端部とは交互に交差するように組み合わされるとともに、その全体の交差部は第４の縦ボルトにより縦方向に貫通して締め付けられ、
前記座板は、前記両側枠の側枠材の間隙の間に座板の両側部が嵌め込まれ固定部材により前記座板の側部と側枠材とが固定されることにより取り付けられている
ことを特徴とする組立式椅子。
【請求項５】
前記座板の後方端部には、前記背面枠の複数の背面材の間隙に嵌り込む補助板が設けられている請求項４記載の組立式椅子。
【請求項６】
前記座板は、前記両側枠および背面枠の高さよりも低い位置において前記側枠材に取り付けられている請求項４または５に記載の組立式椅子。
【考案の詳細な説明】
【技術分野】
【０００１】
本考案は、端材を有効活用できる木製の組立式机および組立式椅子に関する。
【背景技術】
【０００２】
学習用机として、従来より木製のものがあるが、木材の枯渇化や自然保護の面から、一時はスチール製のものが普及していた。しかし、木の肌触りや暖かさ、長寿命といった利点から、木製の机が見直されている。
【０００３】
例えば、特許文献１には、学習机等の家具を構成する水平板体の前縁部、垂直板体の上縁部および前縁部で目に入る部位に面取り部を形成するとともに、面取り部が縁部に沿って滑らかに起伏する形状とした学習机等の木質系家具が開示されている。
【０００４】
【特許文献１】特開２００４−７３６７６号公報
【考案の開示】
【考案が解決しようとする課題】
【０００５】
しかしながら、木製机の製造のために、材料である木材資源を乱伐することは、自然保護、省資源といった時代の趨勢に逆行する。
【０００６】
そこで、できるだけ、机とは別の家具等の製造に用いられる木材の端材を机の材料として使用することができれば、資源の有効利用になるので、好ましい。また、人工植林した杉やヒノキの立木密度を疎にし、残った木の肥大成長を促し、森林全体を健康にするために、林木の一部を伐採する間伐が必要である。その伐採によって生じる間伐材の有効利用も叫ばれている。しかし、端材や間伐材を使用することで、デザイン的に貧弱に見えることは避けたい。
【０００７】
また、机は、組み立てた状態では嵩張るため、部品に分解して輸送し、家庭で簡単に組み立てることができれば、輸送コストも低減し、梱包も容易となる。
【０００８】
そこで本考案は、間伐材や高級家具等の端材を有効に利用し、また組立が容易な組立式机および組立式椅子を提供することを目的とする。
【課題を解決するための手段】
【０００９】
前記課題を解決するため、本考案の組立式机は、天板と、両側枠と、正面枠とを有し、前記両側枠は、前記天板の奥行きの寸法と略同じ長さの複数の側枠材と、前記複数の側枠材の前方を所定の間隙を空けて略等間隔で保持するスペーサとを備え、前記正面枠は、前記天板の幅と略同じ長さの複数の正面材からなり、前記両側枠の複数の側枠材の前方と前記スペーサとは第１の縦ボルトにより縦方向に貫通して締め付けられ、前記両側枠の複数の側枠材の後端と前記複数の正面材のそれぞれの端部とは交互に交差するように組み合わされるとともに、その全体の交差部は第２の縦ボルトにより縦方向に貫通して締め付けられ、前記天板は、前記両側枠の側枠材の間隙の間に天板の両側部が嵌め込まれ固定部材により前記天板の側部と側枠材とが固定されることにより取り付けられていることを特徴とする。
【００１０】
本考案においては、組立式机の構成部材は、天板と、側枠材と、スペーサと、正面材とを木材で形成し、第１の縦ボルト、第２の縦ボルト、および天板を側枠材に固定する固定部材を金属で形成する。木材としては、杉、ヒノキ材、あるいはその他の、間伐材や家具用木材の端材を用いることを想定している。天板は、無垢材であることを排除しないが、角棒ないし細幅の短尺端材を接着して所定の面積の板材にすることが、廃材利用のためには好ましい。側枠材と正面材は、角棒材を用いる。スペーサは、杉やヒノキ材でも構わないが、高級材として用いられ、硬さや加工精度が高いウォールナットを用いることもできる。スペーサは、側枠材や正面材と違って短尺であるので、家具製造時に出る端材を有効に活用することができる。
【００１１】
側枠は、複数の側枠材の間に、前方にはスペーサを入れて第１の縦ボルトにより高さ方向全体を締め付け固定する。複数の側枠材の後端は、正面枠の正面材が交互に入り込むように組み立て、その交差部を貫通するように第２の縦ボルトを挿通し、高さ方向全体を締め付け固定する。天板は、天板の両側部が側枠材の間隙に入るように嵌め込み、天板の両側部と側枠材を固定部材により固定することにより取り付ける。このようにして、天板と両側枠と正面枠が一体に組み立てられる。
【００１２】
前記天板の後方端部には、前記正面枠の複数の正面材の間隙に嵌り込む補助板が設けられている構成とすることにより、天板の荷重を両側枠のみならず、正面枠にも分担させることができる。
【００１３】
前記天板は、前記両側枠および正面枠の高さよりも低い位置において前記側枠材に取り付けられている構成とすることにより、天板上に置かれる本や文房具が側部あるいは奥側に落下するのを防ぐことができる。
【００１４】
本考案の組立式椅子は、座板と、両側枠と、背面枠とを有し、前記両側枠は、前記座板の奥行きの寸法と略同じ長さの複数の側枠材と、前記複数の側枠材の前方を所定の間隙を空けて略等間隔で保持するスペーサとを備え、前記背面枠は、前記座板の幅と略同じ長さの複数の背面材からなり、前記両側枠の複数の側枠材の前方と前記スペーサとは第３の縦ボルトにより縦方向に貫通して締め付けられ、前記両側枠の複数の側枠材の後端と前記複数の背面材のそれぞれの端部とは交互に交差するように組み合わされるとともに、その全体の交差部は第４の縦ボルトにより縦方向に貫通して締め付けられ、前記座板は、前記両側枠の側枠材の間隙の間に座板の両側部が嵌め込まれ固定部材により前記座板の側部と側枠材とが固定されることにより取り付けられていることを特徴とする。
この組立式椅子においても、構成部材の天板が座板に置き換わっただけで、組立式机と同様の機能、作用を有する。
【００１５】
前記座板の後方端部には、前記背面枠の複数の背面材の間隙に嵌り込む補助板が設けられている構成とすることにより、座板に掛かる体重を両側枠のみならず、背面板にも分担させることができる。
【００１６】
前記座板は、前記両側枠および背面枠の高さよりも低い位置において前記側枠材に取り付けられている構成とすることにより、両側枠が肘掛け、背面枠が背もたれとなり、楽に座ることができる。
【考案の効果】
【００１７】
本考案によれば、間伐材や高級家具等の端材を有効に利用し、また組立が容易な組立式机および組立式椅子が得られる。
【考案を実施するための最良の形態】
【００１８】
以下、本考案の実施の形態を、図面を用いて具体的に説明する。
【００１９】
図１は本考案の実施の形態に係る組立式机および組立式椅子の斜視図、図２は本考案の実施の形態に係る組立式机の天板を示すものであり、（ａ）は平面図、（ｂ）は側面図である。図３は本考案の実施の形態に係る組立式机の正面枠を構成する最上部の正面材を示すものであり、（ａ）は平面図、（ｂ）は側面図である。図４は本考案の実施の形態に係る組立式机の正面枠を構成する最上部以外の正面材を示すものであり、（ａ）は平面図、（ｂ）は側面図である。
【００２０】
図５は本考案の実施の形態に係る組立式机の側枠を構成する最上部の側枠材を示すものであり、（ａ）は平面図、（ｂ）は側面図である。図６は本考案の実施の形態に係る組立式机の側枠を構成する中間部の側枠材を示すものであり、（ａ）は平面図、（ｂ）は側面図である。図７は本考案の実施の形態に係る組立式机の側枠を構成する最下部の側枠材を示すものであり、（ａ）は平面図、（ｂ）は側面図である。図８は本考案の実施の形態に係る組立式机の側枠を構成するスペーサを示すものであり、（ａ）は平面図、（ｂ）は側面図である。図９は本考案の実施の形態に係る組立式机の木材を連結する部材を示すものであり、（ａ）は固定部材としての固定棒、（ｂ）は第２の縦ボルト、（ｃ）は第１の縦ボルトのそれぞれ正面図である。
【００２１】
図１０は本考案の実施の形態に係る組立式机の平面図、図１１はその側面図、図１２はその背面図、図１３は図１２のＡ−Ａ断面図、図１４は側枠に取り付ける掛け具を示すものであり、（ａ）は平面図、（ｂ）は側面図、図１５は側枠に取り付けるフックを示すものであり、（ａ）は平面図、（ｂ）は側面図である。
【００２２】
図１６は本考案の実施の形態に係る組立式椅子の天板を示すものであり、（ａ）は平面図、（ｂ）は側面図である。図１７は本考案の実施の形態に係る組立式椅子の背面枠を構成する最上部の背面材を示すものであり、（ａ）は平面図、（ｂ）は側面図である。図１８は本考案の実施の形態に係る組立式椅子の背面枠を構成する最上部以外の背面材を示すものであり、（ａ）は平面図、（ｂ）は側面図である。図１９は本考案の実施の形態に係る組立式椅子の側枠を構成する最上部の側枠材を示すものであり、（ａ）は平面図、（ｂ）は側面図である。図２０は本考案の実施の形態に係る組立式椅子の側枠を構成する中間部の側枠材を示すものであり、（ａ）は平面図、（ｂ）は側面図である。
【００２３】
図２１は本考案の実施の形態に係る組立式椅子の側枠を構成する最下部の側枠材を示すものであり、（ａ）は平面図、（ｂ）は側面図である。図２２は本考案の実施の形態に係る組立式椅子の側枠を構成するスペーサを示すものであり、（ａ）は平面図、（ｂ）は側面図である。図２３は本考案の実施の形態に係る組立式椅子の木材を連結する部材を示すものであり、（ａ）は固定部材としての固定棒、（ｂ）は第４の縦ボルト、（ｃ）は第３の縦ボルトのそれぞれ正面図である。
【００２４】
図２４は本考案の実施の形態に係る組立式椅子の平面図、図２５はその側面図、図２６はその背面図である。
【００２５】
図１に示すように、本考案の実施の形態に係る組立式机１は、天板２と、左側枠３と、右側枠４と、正面枠５とから構成され、組立式椅子６は、座板７と、左側枠８と、右側枠９と、背面枠１０とから構成されている。
【００２６】
天板２は、図２に示すように、左右に突出部２ａが設けられ、補助板２ｂが後部下側に突出する状態に貼り付けられ、突出部２ａには、後述する固定棒１６を挿通するための孔２ｃが設けられている。
【００２７】
図１に示した組立式机１の左側枠３と右側枠４は、それぞれ図５〜図８に示す最上部の側枠材１１、中間部の側枠材１２、最下部の側枠材１３およびスペーサ１４から構成されている。最上部、中間部、最下部の各側枠材１１，１２，１３には、図９（ｃ）に示す第１の縦ボルト１５を挿通する孔１１ａ，１２ａ，１３ａと、図９（ａ）に示す固定棒１６を挿通する孔１１ｂ，１２ｂ，１３ｂと、図９（ｂ）に示す第２の縦ボルト１７を挿通する孔１１ｃ，１２ｃ，１３ｃと、図８に示すスペーサ１４に突設されただぼ１４ａを差し込む回り止め用孔１１ｄ，１２ｄ，１３ｄが設けられている。なお、スペーサ１４にも、第１の縦ボルト１５を挿通する孔１４ｂが設けられている。最上部の側枠材１１の前方と最下部の側枠材１３の前方および後方には、第１の縦ボルト１５および第２の縦ボルト１７の上下端に締め付けられる飾りナットを埋め込むための座刳り部が形成されている。
図１に示した組立式机の正面枠５は、図３および図４に示す最上部の正面材１８とそれ以外の正面材１９から構成されている。最上部およびそれ以外の正面材１８，１９には、第２の縦ボルト１７を挿通するための孔１８ａ，１９ａがそれぞれ両側に形成されている。最上部の正面材１８には、第２の縦ボルト１７の上端に締め付けられる飾りナットを埋め込むための座刳り部が形成されている。
【００２８】
以上の部材を用いて組立式机１を組み立てるには、まず、最下部の側枠材１３の前方の孔１３ａに第１の縦ボルト１５を差し込み、第１の縦ボルト１５の下端に飾りナット（図示せず）を所定位置まで締め込む。最下部の側枠材１３の上に、第１の縦ボルト１５にスペーサ１４の孔１４ｂを通して、スペーサ１４を装着する。このとき、スペーサ１４のだぼ１４ａが回り止め用孔１３ｄに嵌合するようにする。次いで、中間の側枠材１２の孔１２ａを第１の縦ボルト１５に差し込み、同様にスペーサ１４を装着する。中間の側枠材１２とスペーサ１４は、所定の本数、交互に第１の縦ボルト１５に差し込む。最後に、最上部の側枠材１１の孔１１ａを第１の縦ボルト１５に差し込み、第１の縦ボルトの上端に飾りナット（図示せず）を嵌め込み、六角ナット等の工具で軽く締め付ける。このようにして、左側枠３と右側枠４を組み立てる。
【００２９】
次に、左側枠３か右側枠４の最下部の側枠材１３の後方の孔１３ｃに第２の縦ボルト１７を挿入し、第２の縦ボルト１７の下端に飾りナット（図示せず）を所定位置まで締め込む。次いで、正面材１９の端部の孔１９ａに第２の縦ボルト１７を挿入する。その上に、側枠材１２を重ね、側枠材１２の後端の孔１２ｃを第２の縦ボルト１７に差し込む。このように、正面材１９と側枠材１２が交互になるようにして、第２の縦ボルト１７を差し込んでいく。最後に、最上部の正面材１８の孔１８ａを差し込み、第２の縦ボルト１７の上端に飾りナット（図示せず）を嵌め込み、軽く締め付ける。これを、正面材１８，１９の他方についても同様に行い、正面枠５の左右に左側枠３と右側枠４が組み立てられた状態とする。このとき、正面枠５と左側枠３および右側枠４とは、前方が開いた状態にしておく。
【００３０】
次いで、天板２の左右の突出部２ａが、左側枠３と右側枠４の２番目の側枠材１３の下部の間隙部に入り込むように天板２を装着するとともに、左側枠３および右側枠４の開きを閉じて、左側枠３と右側枠４が平行になるようにする。このとき、天板２の補助板２ｂは、正面枠５の３番目の正面材１９の下部の間隙内に嵌り込んだ状態となる。その状態で、左側枠３と右側枠４の最上部の側枠材１１の孔１１ｂと天板２の孔２ｃとが一致するように位置合わせして、固定棒１６を差し込む。これにより、天板２は、左側枠３と右側枠４とにより一体化される。最後に、緩く閉めていた第１の縦ボルト１５と第２の縦ボルト１７の上部の飾りナットを強く締め付ければ、組立式机１は強固に固定される。なお、固定棒１６を差し込む際に、図１４に示す掛け具２０あるいは図１５に示すフック２１を上下の側枠材１２の間隙部に挿入し、それぞれの孔２０ａ，２１ａに固定棒１６を差し込むことにより、左側枠３、右側枠４に、かばんや小物入れ等を吊り下げておくことができる。掛け具２０には、横木２０ｂが設けられており、またフック２１には凹部２１ｂが形成されている。
【００３１】
このようにして、図１０〜図１３に示す外観および断面構造の組立式机１が組み立てられる。
【００３２】
次に、図１に示した本実施の形態の組立式椅子６について説明する。
組立式椅子６の座板７は、図１６に示すように、左右に突出部７ａが設けられ、補助板７ｂが後部下側に突出する状態に貼り付けられ、突出部７ａには、後述する固定棒２７を挿通するための孔７ｃが設けられている。
【００３３】
図１に示した組立式椅子６の左側枠８と右側枠９は、それぞれ図１７〜図２１に示す最上部の側枠材２２、中間部の側枠材２３、最下部の側枠材２４およびスペーサ２５から構成されている。最上部、中間部、最下部の各側枠材２２，２３，２４には、図２３（ｃ）に示す第３の縦ボルト２６を挿通する孔２２ａ，２３ａ，２４ａと、図２３（ａ）に示す固定棒２７を挿通する孔２２ｂ，２３ｂ，２４ｂと、図２３（ｂ）に示す第４の縦ボルト２８を挿通する孔２２ｃ，２３ｃ，２４ｃと、図２２に示すスペーサ２５に突設されただぼ２５ａを差し込む回り止め用孔２２ｄ，２３ｄ，２４ｄが設けられている。なお、スペーサ２５にも、第３の縦ボルト２６を挿通する孔２５ｂが設けられている。最上部の側枠材２２の前方と最下部の側枠材２４の前方および後方には、第３の縦ボルト２６および第４の縦ボルト２８の上下端に締め付けられる飾りナットを埋め込むための座刳り部が形成されている。
【００３４】
図１に示した組立式椅子の背面枠１０は、図１７および図１８に示す最上部の背面材２９とそれ以外の背面材３０から構成されている。最上部およびそれ以外の背面材２９，３０には、第４の縦ボルト２８を挿通するための孔２９ａ，３０ａがそれぞれ両側に形成されている。最上部の背面材２９には、第４の縦ボルト２８の上端に締め付けられる飾りナットを埋め込むための座刳り部が形成されている。
【００３５】
以上の部材を用いて組立式椅子６を組み立てるには、まず、最下部の側枠材２４の前方の孔２４ａに第３の縦ボルト２６を差し込み、第３の縦ボルト２６の下端に飾りナット（図示せず）を所定位置まで締め込む。最下部の側枠材２４の上に、第３の縦ボルト２６にスペーサ２５の孔２５ｂを通して、スペーサ２５を装着する。このとき、スペーサ２５のだぼ２５ａが回り止め用孔２４ｄに嵌合するようにする。次いで、中間の側枠材２３の孔２３ａを第３の縦ボルト２６に差し込み、同様にスペーサ２５を装着する。中間の側枠材２３とスペーサ２５は、所定の本数、交互に第３の縦ボルト２６に差し込む。最後に、最上部の側枠材２２の孔２２ａを第３の縦ボルト２６に差し込み、第３の縦ボルト２６の上端に飾りナット（図示せず）を嵌め込み、六角ナット等の工具で軽く締め付ける。このようにして、左側枠８と右側枠９を組み立てる。
【００３６】
次に、左側枠８か右側枠９の最下部の側枠材２４の後方の孔２４ｃに第４の縦ボルト２８を挿入し、第４の縦ボルト２８の下端に飾りナット（図示せず）を所定位置まで締め込む。次いで、背面材３０の端部の孔３０ａに第４の縦ボルト２８を挿入する。その上に、側枠材２３を重ね、側枠材２３の後端の孔２３ｃを第４の縦ボルト２８に差し込む。このように、背面材３０と側枠材２３が交互になるようにして、第４の縦ボルト２８を差し込んでいく。最後に、最上部の背面材２９の孔２９ａを差し込み、第４の縦ボルト２８の上端に飾りナット（図示せず）を嵌め込み、軽く締め付ける。これを、背面材２９，３０の他方についても同様に行い、背面枠１０の左右に左側枠８と右側枠９が組み立てられた状態とする。このとき、背面枠１０と左側枠８および右側枠９とは、前方が開いた状態にしておく。
【００３７】
次いで、座板７の左右の突出部７ａが、左側枠８と右側枠９の３番目の側枠材２４の下部の間隙部に入り込むように座板７を装着するとともに、左側枠８および右側枠９の開きを閉じて、左側枠８と右側枠９が平行になるようにする。このとき、座板７の補助板７ｂは、背面枠１０の４番目の背面材３０の下部の間隙内に嵌り込んだ状態となる。その状態で、左側枠８と右側枠９の最上部の側枠材２２の孔２２ｂと座板７の孔７ｃとが一致するように位置合わせして、固定棒２７を差し込む。これにより、座板７は、左側枠８と右側枠９とにより一体化される。最後に、緩く閉めていた第３の縦ボルト２６と第４の縦ボルト２８の上部の飾りナットを強く締め付ければ、組立式椅子６は強固に固定される。
このようにして、図２４〜図２６に示す外観の組立式椅子６が組み立てられる。
【００３８】
以上に説明したように、本考案の実施の形態に係る組立式机１および組立式椅子６は、天板２または座板７は平板状であるが、他の３面の枠は、間隙を設けているので、使用木材も少なくて済み、間伐材や端材を使用することができるために資源の有効利用を図ることができ、また軽量であるために、運搬コストも軽減でき、しかも、組み立ても簡単に行うことができる。
【産業上の利用可能性】
【００３９】
本考案は、間伐材や高級家具等の端材を有効に利用し、また組立が容易な組立式机および組立式椅子として、木工の分野において好適に利用することができる。
【図面の簡単な説明】
【００４０】
【図１】本考案の実施の形態に係る組立式机および組立式椅子の斜視図である。
【図２】本考案の実施の形態に係る組立式机の天板を示すものであり、（ａ）は平面図、（ｂ）は側面図である。
【図３】本考案の実施の形態に係る組立式机の正面枠を構成する最上部の正面材を示すものであり、（ａ）は平面図、（ｂ）は側面図である。
【図４】本考案の実施の形態に係る組立式机の正面枠を構成する最上部以外の正面材を示すものであり、（ａ）は平面図、（ｂ）は側面図である。
【図５】本考案の実施の形態に係る組立式机の側枠を構成する最上部の側枠材を示すものであり、（ａ）は平面図、（ｂ）は側面図である。
【図６】本考案の実施の形態に係る組立式机の側枠を構成する中間部の側枠材を示すものであり、（ａ）は平面図、（ｂ）は側面図である。
【図７】本考案の実施の形態に係る組立式机の側枠を構成する最下部の側枠材を示すものであり、（ａ）は平面図、（ｂ）は側面図である。
【図８】本考案の実施の形態に係る組立式机の側枠を構成するスペーサを示すものであり、（ａ）は平面図、（ｂ）は側面図である。
【図９】本考案の実施の形態に係る組立式机の木材を連結する部材を示すものであり、（ａ）は固定部材としての固定棒、（ｂ）は第２の縦ボルト、（ｃ）は第１の縦ボルトのそれぞれ正面図である。
【図１０】本考案の実施の形態に係る組立式机の平面図である。
【図１１】本考案の実施の形態に係る組立式机の側面図である。
【図１２】本考案の実施の形態に係る組立式机の背面図である。
【図１３】図１２のＡ−Ａ断面図である。
【図１４】側枠に取り付ける掛け具を示すものであり、（ａ）は平面図、（ｂ）は側面図である。
【図１５】側枠に取り付けるフックを示すものであり、（ａ）は平面図、（ｂ）は側面図である。
【図１６】本考案の実施の形態に係る組立式椅子の天板を示すものであり、（ａ）は平面図、（ｂ）は側面図である。
【図１７】本考案の実施の形態に係る組立式椅子の背面枠を構成する最上部の背面材を示すものであり、（ａ）は平面図、（ｂ）は側面図である。
【図１８】本考案の実施の形態に係る組立式椅子の背面枠を構成する最上部以外の背面材を示すものであり、（ａ）は平面図、（ｂ）は側面図である。
【図１９】本考案の実施の形態に係る組立式椅子の側枠を構成する最上部の側枠材を示すものであり、（ａ）は平面図、（ｂ）は側面図である。
【図２０】本考案の実施の形態に係る組立式椅子の側枠を構成する中間部の側枠材を示すものであり、（ａ）は平面図、（ｂ）は側面図である。
【図２１】本考案の実施の形態に係る組立式椅子の側枠を構成する最下部の側枠材を示すものであり、（ａ）は平面図、（ｂ）は側面図である。
【図２２】本考案の実施の形態に係る組立式椅子の側枠を構成するスペーサを示すものであり、（ａ）は平面図、（ｂ）は側面図である。
【図２３】本考案の実施の形態に係る組立式椅子の木材を連結する部材を示すものであり、（ａ）は固定部材としての固定棒、（ｂ）は第４の縦ボルト、（ｃ）は第３の縦ボルトのそれぞれ正面図である。
【図２４】本考案の実施の形態に係る組立式椅子の平面図である。
【図２５】本考案の実施の形態に係る組立式椅子の側面図である。
【図２６】本考案の実施の形態に係る組立式椅子の背面図である。
【符号の説明】
【００４１】
１  組立式机
２  天板
２ａ  突出部
２ｂ  補助板
２ｃ  孔
３  左側枠
４  右側枠
５  正面枠
６  組立式椅子
７  座板
７ａ  突出部
７ｂ  補助板
７ｃ  孔
８  左側枠
９  右側枠
１０  背面枠
１１，１２，１３  側枠材
１１ａ，１２ａ，１３ａ  孔
１１ｂ，１２ｂ，１３ｂ  孔
１１ｃ，１２ｃ，１３ｃ  孔
１１ｄ，１２ｄ，１３ｄ  回り止め用孔
１４  スペーサ
１４ａ  だぼ
１４ｂ  孔
１５  第１の縦ボルト
１６  固定棒
１７  第２の縦ボルト
１８，１９  正面材
１８ａ，１９ａ  孔
２０  掛け具
２０ａ  孔
２０ｂ  横木
２１  フック
２１ａ  孔
２２，２３，２４  側枠材
２２ａ，２３ａ，２４ａ  孔
２２ｂ，２３ｂ，２４ｂ  孔
２２ｃ，２３ｃ，２４ｃ  孔
２２ｄ，２３ｄ，２４ｄ  回り止め用孔
２５  スペーサ
２５ａ  だぼ
２５ｂ  孔
２６  第３の縦ボルト
２７  固定棒
２８  第４の縦ボルト
２９，３０  背面材
２９ａ，３０ａ  孔
【図１】
0003130471.tif 000003
【図２】
0003130471.tif 000004
【図３】
0003130471.tif 000005
【図４】
0003130471.tif 000006
【図５】
0003130471.tif 000007
【図６】
0003130471.tif 000008
【図７】
0003130471.tif 000009
【図８】
0003130471.tif 000010
【図９】
0003130471.tif 000011
【図１０】
0003130471.tif 000012
【図１１】
0003130471.tif 000013
【図１２】
0003130471.tif 000014
【図１３】
0003130471.tif 000015
【図１４】
0003130471.tif 000016
【図１５】
0003130471.tif 000017
【図１６】
0003130471.tif 000018
【図１７】
0003130471.tif 000019
【図１８】
0003130471.tif 000020
【図１９】
0003130471.tif 000021
【図２０】
0003130471.tif 000022
【図２１】
0003130471.tif 000023
【図２２】
0003130471.tif 000024
【図２３】
0003130471.tif 000025
【図２４】
0003130471.tif 000026
【図２５】
0003130471.tif 000027
【図２６】
0003130471.tif 000028